(57)【要約】【課題】ＴＶ放送の受信状態が悪い場合であっても視聴者に不快感を与えることのないＴＶ放送受信機を提供する。【解決手段】アナログＴＶ放送の受信状態を判定する受信状態判定手段と、所定の画像を保持する画像保持手段と、受信状態判定手段の判定結果に応じて、該映像信号又は該所定の画像の信号の何れか一方を該再生機器に出力する選択的出力手段とを具備したＴＶ放送受信機を提供する。【選択図】図２
2008011017.tif 000002
【特許請求の範囲】
【請求項１】
アナログテレビジョン放送を受信・復調してその映像信号を再生機器に出力可能なテレビジョン放送受信機において、
アナログテレビジョン放送の受信状態を判定する受信状態判定手段と、
所定の画像を保持する画像保持手段と、
前記受信状態判定手段の判定結果に応じて、該映像信号又は該所定の画像の信号の何れか一方を該再生機器に出力する選択的出力手段と、を具備したこと、を特徴とするテレビジョン放送受信機。
【請求項２】
前記画像保持手段は、該映像信号による画像を所定のタイミング毎に取得し該所定の画像として保持すること、を特徴とする請求項１に記載のテレビジョン放送受信機。
【請求項３】
該所定の画像は前記画像保持手段に予め保持された画像であること、を特徴とする請求項１に記載のテレビジョン放送受信機。
【請求項４】
サイマル方式のデジタルテレビジョン放送とアナログテレビジョン放送を受信・復調してその何れか一方の形式の映像信号を再生機器に出力可能なテレビジョン放送受信機において、
所定の画像を保持する画像保持手段と、
該再生機器に出力すべき形式を決定する出力決定手段と、
前記出力決定手段によりアナログテレビジョン放送の信号を出力すると決定されたとき、当該アナログテレビジョン放送の受信状態を判定する受信状態判定手段と、
前記受信状態判定手段の判定結果に応じて、アナログテレビジョン放送の映像信号又は該所定の画像の信号の何れか一方を該再生機器に出力する選択的出力手段と、を具備したこと、を特徴とするテレビジョン放送受信機。
【請求項５】
前記出力決定手段によりアナログテレビジョン放送の信号を出力すると決定されたとき、音声信号に関しては、前記受信状態判定手段の判定結果に拘わらず当該アナログテレビジョン放送の信号を復調して得られた音声信号を該再生機器に出力すること、を特徴とする請求項４に記載のテレビジョン放送受信機。
【請求項６】
前記出力決定手段は、デジタルテレビジョン放送の受信状態を判定し、デジタルテレビジョン放送の受信状態が良好であると判定されるときにはデジタルテレビジョン放送の信号を該再生機器に出力すべき形式として決定し、該受信状態が良好でないと判定されるときにはアナログテレビジョン放送の信号を該再生機器に出力すべき形式として決定すること、を特徴とする請求項４又は請求項５の何れかに記載のテレビジョン放送受信機。
【請求項７】
前記画像保持手段は、デジタルテレビジョン放送又はアナログテレビジョン放送の何れか一方の映像信号による画像を所定のタイミング毎に取得し該所定の画像として保持すること、を特徴とする請求項４から請求項６の何れかに記載のテレビジョン放送受信機。
【請求項８】
サイマル方式のデジタルテレビジョン放送とアナログテレビジョン放送を受信・復調してその何れか一方の形式の映像信号を再生機器に出力可能なテレビジョン放送受信機において、
所定の画像を保持する画像保持手段と、
受信されたデジタルテレビジョン放送のエラーレートを検出し、当該エラーレートに基づいてその受信状態を判定する第一の判定手段と、
前記第一の判定手段の判定結果に応じて、該再生機器に出力すべき形式を決定する出力決定手段と、
前記出力決定手段によりアナログテレビジョン放送の信号を出力すると決定されたとき、当該アナログテレビジョン放送の受信強度を検出し、当該受信強度に基づいてその受信状態を判定する第二の判定手段と、
前記第二の判定手段の判定結果に応じて、アナログテレビジョン放送の映像信号又は該所定の画像の信号の何れか一方を該再生機器に出力する選択的出力手段と、を具備したこと、を特徴とするテレビジョン放送受信機。
【請求項９】
移動体に備えられていること、を特徴とする請求項１から請求項８の何れかに記載のテレビジョン放送受信機。
【請求項１０】
アナログテレビジョン放送を受信・復調してその映像信号を再生機器に出力するためのテレビジョン放送受信方法において、
アナログテレビジョン放送の受信状態を判定する受信状態判定ステップと、
前記受信状態判定ステップにおける判定結果に応じて、該映像信号又は所定の記憶媒体に保持されている所定の画像の信号の何れか一方を該再生機器に出力する選択的出力ステップと、を含むテレビジョン放送受信方法。
【請求項１１】
該映像信号による画像を所定のタイミング毎に取得し該所定の画像として該所定の記憶媒体に格納する画像格納ステップを更に含む、請求項１０に記載のテレビジョン放送受信方法。
【請求項１２】
サイマル方式のデジタルテレビジョン放送とアナログテレビジョン放送を受信・復調してその何れか一方の形式の映像信号を再生機器に出力するためのテレビジョン放送受信方法において、
該再生機器に出力すべき形式を決定する出力決定ステップと、
前記出力決定ステップにおいてアナログテレビジョン放送の信号を出力すると決定されたとき、当該アナログテレビジョン放送の受信状態を判定する受信状態判定ステップと、
前記受信状態判定ステップにおける判定結果に応じて、アナログテレビジョン放送の映像信号又は所定の記憶媒体に保持されている所定の画像の信号の何れか一方を該再生機器に出力する選択的出力ステップと、を含むテレビジョン放送受信方法。
【請求項１３】
前記出力決定ステップにおいてアナログテレビジョン放送の信号を出力すると決定されたとき、音声信号に関しては、前記受信状態判定ステップにおける判定結果に拘わらず当該アナログテレビジョン放送の信号を復調して得られた音声信号を該再生機器に出力すること、を特徴とする請求項１２に記載のテレビジョン放送受信方法。
【請求項１４】
前記出力決定ステップにおいてデジタルテレビジョン放送の受信状態を判定し、デジタルテレビジョン放送の受信状態が良好であると判定されるときにはデジタルテレビジョン放送の信号を該再生機器に出力すべき形式として決定し、該受信状態が良好でないと判定されるときにはアナログテレビジョン放送の信号を該再生機器に出力すべき形式として決定すること、を特徴とする請求項１２又は請求項１３の何れかに記載のテレビジョン放送受信方法。
【請求項１５】
デジタルテレビジョン放送又はアナログテレビジョン放送の何れか一方の映像信号による画像を所定のタイミング毎に取得し該所定の画像として該所定の記憶媒体に格納する画像格納ステップを更に含む、請求項１２から請求項１４の何れかに記載のテレビジョン放送受信方法。
【発明の詳細な説明】
【技術分野】
【０００１】
この発明は、アナログテレビジョン（以下、「テレビジョン」を「ＴＶ」と記す）放送を受信・復調してその映像信号を再生機器に出力可能なＴＶ放送受信機、及び、ＴＶ放送受信方法に関する。またサイマル方式のデジタルＴＶ放送とアナログＴＶ放送を受信・復調してその何れか一方の形式の映像信号を再生機器に出力可能なＴＶ放送受信機、及び、ＴＶ放送受信方法に関する。
【背景技術】
【０００２】
近年、記録媒体や機器等において音声や映像をデジタル形式で処理／管理することが一般化している。このような記録媒体や機器等における音声や映像のデジタル符号化の趨勢は放送関連業界にも波及している。放送関連業界では、現在、地上波アナログＴＶ放送から地上波デジタルＴＶ放送への移行が進められている。
【０００３】
この地上波デジタルＴＶ放送は普及しつつある。しかし、ＴＶ放送を地上波アナログＴＶ放送から地上波デジタルＴＶ放送に移行させるためには大規模な設備投資、莫大な時間、労力、費用等が必要とされる。現在は移行を徐々に進めている段階であり、全国的には地上波デジタルＴＶ放送を視聴可／不可な地域が散在するといった状況にある。また地上波デジタルＴＶ放送を視聴するためにはそれに対応した機器が必要である。視聴者は、地上波デジタルＴＶ放送を視聴するためには新たな機器を購入しなければならない。従って現段階でＴＶ放送を地上波デジタルＴＶ放送に一本化してしまうと、多くの視聴者がＴＶ放送を視聴できなくなってしまう。これらの事情を鑑みて、現在、地上波デジタルＴＶ放送と地上波アナログＴＶ放送とのサイマル放送（すなわちデジタル及びアナログの両形式で同一時間に同一内容の番組を放送する方式）が実施されている。
【０００４】
例えば車両に代表される移動体に搭載されたＴＶ放送受信機では、地上波デジタルＴＶ放送を視聴可／不可な地域が散在することが考慮されて、地上波デジタルＴＶ放送と地上波アナログＴＶ放送の両放送を受信できるよう設計されている。例えば下記特許文献１には、サイマル放送に対応したＴＶ放送受信機が開示されている。下記特許文献１に記載のＴＶ放送受信機は、地上波デジタルＴＶ放送の受信信号（以下、「デジタル受信信号」と記す）のエラーレートが基準値を超えるか否かを監視する。エラーレートが基準値以下のときには地上波デジタルＴＶ放送の受信状態が良好であるとして、デジタル受信信号を映像音声出力装置に出力する。一方、エラーレートが基準値を超えたときには地上波デジタルＴＶ放送の受信状態が悪化したものとして、映像音声出力装置に対する出力を地上波アナログＴＶ放送の受信信号（以下、「アナログ受信信号」と記す）に切り替える。すなわち下記特許文献１によれば、デジタル受信信号を優先的に出力し、地上波デジタルＴＶ放送の受信状態が悪化したときに限りアナログ受信信号を出力するＴＶ放送受信機が提供される。
【特許文献１】特許第３５８３９６３号公報
【発明の開示】
【発明が解決しようとする課題】
【０００５】
上記特許文献１に記載のＴＶ放送受信機において例えば地上波デジタルＴＶ放送の受信状態が悪くなり、ディスプレイの映像が当該地上波デジタルＴＶ放送の番組から地上波アナログＴＶ放送の番組に切り替わったとする。このとき地上波アナログＴＶ放送の受信状態が悪ければ、ディスプレイの映像は、ノイズのない鮮明なもの（地上波デジタルＴＶ放送による映像）から歪みや乱れの多い不鮮明なもの（地上波アナログＴＶ放送による映像）に切り替わることになる。このような不鮮明な映像は視聴者に不快感を与え得る。
【０００６】
また上記切り替わり時において地上波アナログＴＶ放送の受信状態が良好である場合には、ディスプレイの映像は、ノイズのない鮮明なもの（地上波デジタルＴＶ放送による映像）から比較的鮮明なもの（地上波アナログＴＶ放送による映像）に切り替わる。この場合、視聴者は不快感を覚え得ない。しかし、地上波デジタルＴＶ放送の受信状態が改善しない状態が継続し且つ地上波アナログＴＶ放送の受信状態が悪化してしまうと、ディスプレイの映像は、歪みや乱れの多い不鮮明なものとなってしまう。このような場合も視聴者は、先と同様に不快感を覚え得る。
【０００７】
そこで、本発明は上記の事情に鑑みて、ＴＶ放送の受信状態が悪い場合であっても視聴者に不快感を与えることのないＴＶ放送受信機及びＴＶ放送受信方法を提供することを課題としている。
【課題を解決するための手段】
【０００８】
上記の課題を解決する本発明の一態様に係るＴＶ放送受信機は、アナログＴＶ放送を受信・復調してその映像信号を再生機器に出力可能な受信機に関するものである。このＴＶ放送受信機は、アナログＴＶ放送の受信状態を判定する受信状態判定手段と、所定の画像を保持する画像保持手段と、受信状態判定手段の判定結果に応じて、該映像信号又は該所定の画像の信号の何れか一方を該再生機器に出力する選択的出力手段とを具備したことを特徴としたものである。
【０００９】
このように構成されたＴＶ放送受信機によれば、ＴＶ放送の受信状態が悪化してその映像が乱れるような場合であっても再生機器には所定の画像が出力される。このため再生機器では乱れのない鮮明な画像が表示されることになる。従って視聴者が映像の乱れによって不快感を覚えることがなくなる。
【００１０】
なお上記ＴＶ放送受信機において画像保持手段は、例えば該映像信号による画像を所定のタイミング毎に取得し該所定の画像として保持するよう動作することができる。
【００１１】
また上記ＴＶ放送受信機において該所定の画像は例えば画像保持手段に予め保持された画像であっても良い。
【００１２】
また上記の課題を解決する本発明の別の態様に係るＴＶ放送受信機は、サイマル方式のデジタルＴＶ放送とアナログＴＶ放送を受信・復調してその何れか一方の形式の映像信号を再生機器に出力可能な受信機に関するものである。このＴＶ放送受信機は、所定の画像を保持する画像保持手段と、該再生機器に出力すべき形式を決定する出力決定手段と、出力決定手段によりアナログＴＶ放送の信号を出力すると決定されたとき、当該アナログＴＶ放送の受信状態を判定する受信状態判定手段と、受信状態判定手段の判定結果に応じて、アナログＴＶ放送の映像信号又は該所定の画像の信号の何れか一方を該再生機器に出力する選択的出力手段とを具備したことを特徴としたものである。
【００１３】
ここで、上記出力決定手段によりアナログＴＶ放送の信号を出力すると決定されたとき、音声信号に関しては、受信状態判定手段の判定結果に拘わらず当該アナログＴＶ放送の信号を復調して得られた音声信号を該再生機器に出力するようにしても良い。
【００１４】
また上記出力決定手段は、例えばデジタルＴＶ放送の受信状態を判定するよう動作し得る。この場合、出力決定手段は、例えばデジタルＴＶ放送の受信状態が良好であると判定されるときにはデジタルＴＶ放送の信号を該再生機器に出力すべき形式として決定し、該受信状態が良好でないと判定されるときにはアナログＴＶ放送の信号を該再生機器に出力すべき形式として決定する。
【００１５】
また上記画像保持手段は、例えばデジタルＴＶ放送又はアナログＴＶ放送の何れか一方の映像信号による画像を所定のタイミング毎に取得し該所定の画像として保持するよう動作し得る。
【００１６】
また上記の課題を解決する本発明の別の態様に係るＴＶ放送受信機は、サイマル方式のデジタルＴＶ放送とアナログＴＶ放送を受信・復調してその何れか一方の形式の映像信号を再生機器に出力可能な受信機に関するものである。このＴＶ放送受信機は、所定の画像を保持する画像保持手段と、受信されたデジタルテレビジョン放送のエラーレートを検出し、当該エラーレートに基づいてその受信状態を判定する第一の判定手段と、第一の判定手段の判定結果に応じて、該再生機器に出力すべき形式を決定する出力決定手段と、出力決定手段によりアナログテレビジョン放送の信号を出力すると決定されたとき、当該アナログテレビジョン放送の受信強度を検出し、当該受信強度に基づいてその受信状態を判定する第二の判定手段と、第二の判定手段の判定結果に応じて、アナログテレビジョン放送の映像信号又は該所定の画像の信号の何れか一方を該再生機器に出力する選択的出力手段とを具備したことを特徴としたものである。
【００１７】
なお上記ＴＶ放送受信機は例えば移動体に備えられたものであり得る。
【００１８】
また上記の課題を解決する本発明の一態様に係るＴＶ放送受信方法は、アナログＴＶ放送を受信・復調してその映像信号を再生機器に出力するための方法に関するものである。このＴＶ放送受信方法は、アナログＴＶ放送の受信状態を判定する受信状態判定ステップと、受信状態判定ステップにおける判定結果に応じて、該映像信号又は所定の記憶媒体に保持されている所定の画像の信号の何れか一方を該再生機器に出力する選択的出力ステップとを含む方法である。
【００１９】
このようなＴＶ放送受信方法によれば、ＴＶ放送の受信状態が悪化してその映像が乱れるような場合であっても再生機器には所定の画像が出力される。このため再生機器では乱れのない鮮明な画像が表示されることになる。従って視聴者が映像の乱れによって不快感を覚えることがなくなる。
【００２０】
なお上記ＴＶ放送受信方法は、該映像信号による画像を所定のタイミング毎に取得し該所定の画像として該所定の記憶媒体に格納する画像格納ステップを更に含んだものであっても良い。
【００２１】
また上記の課題を解決する本発明の別の態様に係るＴＶ放送受信方法は、サイマル方式のデジタルＴＶ放送とアナログＴＶ放送を受信・復調してその何れか一方の形式の映像信号を再生機器に出力するための方法に関するものである。このＴＶ放送受信方法は、該再生機器に出力すべき形式を決定する出力決定ステップと、出力決定ステップにおいてアナログＴＶ放送の信号を出力すると決定されたとき、当該アナログＴＶ放送の受信状態を判定する受信状態判定ステップと、受信状態判定ステップにおける判定結果に応じて、アナログＴＶ放送の映像信号又は所定の記憶媒体に保持されている所定の画像の信号の何れか一方を該再生機器に出力する選択的出力ステップとを含む方法である。
【００２２】
ここで、上記出力決定ステップにおいてアナログＴＶ放送の信号を出力すると決定されたとき、音声信号に関しては、受信状態判定ステップにおける判定結果に拘わらず当該アナログＴＶ放送の信号を復調して得られた音声信号を該再生機器に出力する用にしても良い。
【００２３】
また上記出力決定ステップにおいて例えばデジタルＴＶ放送の受信状態を判定するようにしても良い。附言するに出力決定ステップでは、デジタルＴＶ放送の受信状態が良好であると判定されるときにはデジタルＴＶ放送の信号が該再生機器に出力すべき形式として決定され、該受信状態が良好でないと判定されるときにはアナログＴＶ放送の信号が該再生機器に出力すべき形式として決定され得る。
【００２４】
上記ＴＶ放送受信方法は、例えばデジタルＴＶ放送又はアナログＴＶ放送の何れか一方の映像信号による画像を所定のタイミング毎に取得し該所定の画像として該所定の記憶媒体に格納する画像格納ステップを更に含んだものであっても良い。
【発明の効果】
【００２５】
本発明に係るＴＶ放送受信機及びＴＶ放送受信方法によれば、ＴＶ放送の受信状態が悪化してその映像が乱れるような場合であっても再生機器には所定の画像が出力される。このため再生機器では乱れのない鮮明な画像が表示されることになる。従って視聴者が映像の乱れによって不快感を覚えることがなくなる。
【発明を実施するための最良の形態】
【００２６】
以下、図面を参照して、本発明の実施の形態のＴＶ放送受信機の構成及び作用について説明する。
【００２７】
図１は、本発明の実施の形態のＴＶ放送受信機を具備した映像音声出力装置１００の構成を示したブロック図である。映像音声出力装置１００は例えば移動体である車両に搭載されている。映像音声出力装置１００はサイマル放送に対応したものであり、地上波デジタルＴＶ放送及び地上波アナログＴＶ放送の両方を受信して処理できるよう設計されている。
【００２８】
映像音声出力装置１００は、制御部１０、デジタルＴＶ用アンテナ１１、デジタルＴＶ用チューナ１２、ＯＦＤＭ（Orthogonal Frequency Division Multiplexing：直交周波数分割多重）復調部１３、ＭＰＥＧ（Moving Picture Experts Group）デコーダ１４、映像切替スイッチ１５、動画／静止画切替スイッチ１６、画像メモリ１７、音声Ｄ／Ａコンバータ２１、音声切替スイッチ２３、オーディオアンプ２４、アナログＴＶ用アンテナ３１、アナログＴＶ用チューナ３２、アナログ受信信号復調部３３、受信強度検出部３４、メモリ４０、ディスプレイ５０、スピーカ６０Ｒ、６０Ｌ、及び、受光部７０を具備する。
【００２９】
リモート・コントローラ（以下、「リモコン」と記す）８０には映像音声出力装置１００を操作するための操作キーが設けられている。ユーザがリモコン８０を操作すると、その操作に応じた制御パルスがリモコン８０から出力される。この制御パルスは例えばＩｒＤＡ規格に準拠した信号である。受光部７０はこの制御パルスを受信すると、それを制御部１０に受け渡す。なおリモコン８０が操作されているときには、例えばディスプレイ５０の表示が操作画面に切り替わるようにしても良く、或いは、操作に関する文字情報がディスプレイ５０に表示中の画像に重畳表示されるようにしても良い。
【００３０】
制御部１０は映像音声出力装置１００全体の統括的な制御を司る。制御部１０は、例えば自己に実装された各種プログラム及び受光部７０からの制御パルスに基づいて各構成要素を制御するよう動作する。
【００３１】
ここで、映像音声出力装置１００における一連の信号処理について説明する。
【００３２】
先ず、デジタル受信信号の信号処理について説明する。デジタルＴＶ用アンテナ１１は、地上波デジタルＴＶ放送の各チャンネルのＲＦ（Radio Frequency）信号を受信する機能を有する。デジタルＴＶ用アンテナ１１で受信された各ＲＦ信号は、デジタルＴＶ用チューナ１２に入力する。
【００３３】
デジタルＴＶ用チューナ１２は、入力された各ＲＦ信号の中から制御部１０により指定されたチャンネル（以下、「指定チャンネル」と記す）のＲＦ信号を選択して周波数変換を行う。具体的には、安定動作や選択特性が改善される中間周波数すなわちＩＦ（Intermediate Frequency）信号に変換する。周波数変換後のＩＦ信号は、図示しないＢＰＦ（Band Pass Filter）により不要な周波数成分が除去された後、ＯＦＤＭ復調部１３に入力する。
【００３４】
デジタルＴＶ用チューナ１２で選択されるチャンネルは、ユーザ・オペレーションによる選局に従って決定される。具体的には、ユーザがリモコン８０を操作して選局を行うと、その操作に応じた制御パルスがリモコン８０から出力される。受光部７０がこの制御パルスを受信して制御部１０に受け渡すと、制御部１０は、指定チャンネルのＲＦ信号を選択するようデジタルＴＶ用チューナ１２に命令を出す。デジタルＴＶ用チューナ１２はこの命令に従ってチューニング処理を実行する。
【００３５】
なお制御部１０は、デジタルＴＶ用チューナ１２に命令を出すと共に指定チャンネルの情報をメモリ４０に書き込む。従ってメモリ４０には、常に、ユーザが最後に選択したチャンネルの情報（以下、「ラストチャンネル」と記す）を保持されることになる。ユーザによる選局操作が行われていない場合（例えば電源投入直後等）、制御部１０はメモリ４０を参照して、ラストチャンネルに対応するＲＦ信号を選択するようデジタルＴＶ用チューナ１２に命令を出す。
【００３６】
ＯＦＤＭ復調部１３は、入力されたＩＦ信号をＡ／Ｄ変換してデジタル信号に変換する。次いで、変換されたデジタル信号を例えば数千のキャリアに分割し、各キャリア毎に位相を合わせて合成（例えば周知の最大比合成）処理を行った上で復調する。これにより、ＭＰＥＧ−２トランスポートストリーム信号（以下、「ＴＳ信号」と記す）が得られる。このＴＳ信号はＭＰＥＧデコーダ１４に出力される。またＯＦＤＭ復調部１３は、デジタル受信信号の品質を表すＢＥＲ（Bit Error Rate）を制御部１０に受け渡す。
【００３７】
ＭＰＥＧデコーダ１４は、入力されたＴＳ信号をデコードする。これによりＴＳ信号が、デジタルＴＶ放送の映像信号（例えばフレーム画像を成す信号）及びデジタルフォーマットの音声信号にデコードされる。デコードされた映像信号は映像切替スイッチ１５に出力される。また音声信号は音声Ｄ／Ａコンバータ２１に出力される。
【００３８】
映像切替スイッチ１５は、制御部１０の命令に従ってスイッチング動作して、ＭＰＥＧデコーダ１４又はアナログ受信信号復調部３３の何れか一方からの入力信号をディスプレイ５０側（より正確には動画／静止画切替スイッチ１６）に出力する。ここでは映像切替スイッチ１５は、ＭＰＥＧデコーダ１４からの入力信号を出力するようスイッチング制御されているものとする。
【００３９】
動画／静止画切替スイッチ１６は、制御部１０の命令に従ってスイッチング動作して、映像切替スイッチ１５又は画像メモリ１７の何れか一方からの入力信号をディスプレイ５０に出力する。ここでは動画／静止画切替スイッチ１６は、映像切替スイッチ１５とディスプレイ５０を接続するようスイッチング制御されているものとする。動画／静止画切替スイッチ１６から出力された映像信号がディスプレイ５０に入力することで、地上波デジタルＴＶ放送の番組がディスプレイ５０の画面に表示される。
【００４０】
音声Ｄ／Ａコンバータ２１は、ＭＰＥＧデコーダ１４からの音声信号をＤ／Ａ変換して音声切替スイッチ２３に出力する。
【００４１】
音声切替スイッチ２３は、制御部１０の命令に従ってスイッチング動作して、音声Ｄ／Ａコンバータ２１又はアナログ受信信号復調部３３の何れか一方からの入力信号をオーディオアンプ２４に出力する。ここでは音声切替スイッチ２３は、音声Ｄ／Ａコンバータ２１とオーディオアンプ２４を接続するようスイッチング制御されているものとする。
【００４２】
オーディオアンプ２４は音声切替スイッチ２３からの音声信号を増幅してスピーカ６０Ｒ及び６０Ｌに出力する。これにより、地上波デジタルＴＶ放送の番組の音声がスピーカ６０Ｒ及び６０Ｌで再生される。
【００４３】
次に、アナログ受信信号の信号処理について説明する。アナログＴＶ用アンテナ３１は、地上波アナログＴＶ放送の各チャンネルのＲＦ信号を受信する機能を有する。アナログＴＶ用アンテナ３１で受信された各ＲＦ信号は、アナログＴＶ用チューナ３２に入力する。
【００４４】
ここで、メモリ４０にはチャンネルマップが格納されている。このチャンネルマップはサイマル放送に対応した周波数マップであり、地上波デジタルＴＶ放送のチャンネルと、そのチャンネルと同一時間に同一番組を放送している地上波アナログＴＶ放送のチャンネルとの対応関係を表したデータである。
【００４５】
制御部１０は、指定チャンネル又はラストチャンネルを選択するようデジタルＴＶ用チューナ１２に命令を出したとき、アナログＴＶ用チューナ３２にも同様の命令を出す。より詳細には、制御部１０はメモリ４０のチャンネルマップを読み込んで、指定チャンネル又はラストチャンネルに対応した地上波アナログＴＶ放送のチャンネル情報を取得する。そして取得された地上波アナログＴＶ放送のチャンネルを選択するようアナログＴＶ用チューナ３２に命令を出す。
【００４６】
アナログＴＶ用チューナ３２は、入力された各ＲＦ信号の中から制御部１０により指定されたチャンネルのＲＦ信号を選択してＩＦ信号に変換する。次いで、変換されたＩＦ信号をアナログ受信信号復調部３３に出力する。
【００４７】
アナログ受信信号復調部３３は、入力されたＩＦ信号を映像信号及び音声信号に分離する。次いで、分離された映像信号を所定の形式の映像信号（例えばフレーム画像を成す信号）に復調して映像切替スイッチ１５に出力する。また、分離された音声信号を復調して音声切替スイッチ２３に出力する。
【００４８】
映像切替スイッチ１５、動画／静止画切替スイッチ１６がそれぞれ、アナログ受信信号復調部３３、映像切替スイッチ１５からの入力信号を受け取って出力するようスイッチング制御されている場合、上記所定の形式の映像信号はディスプレイ５０に入力する。これにより、地上波アナログＴＶ放送の番組がディスプレイ５０の画面に表示される。
【００４９】
また音声切替スイッチ２３がアナログ受信信号復調部３３とオーディオアンプ２４を接続するようスイッチング制御されている場合、上記復調された音声信号はオーディオアンプ２４に入力する。この音声信号がオーディオアンプ２４により増幅されてスピーカ６０Ｒ及び６０Ｌに出力されると、地上波アナログＴＶ放送の番組の音声がスピーカ６０Ｒ及び６０Ｌで再生される。
【００５０】
次に、本実施形態の映像音声出力装置１００におけるＴＶ放送番組再生処理について説明する。図２に、映像音声出力装置１００におけるＴＶ放送番組再生処理のフローチャートを示す。
【００５１】
図２のフローチャートの処理は、例えば映像音声出力装置１００の電源（不図示）がオンされた時点で開始され、当該電源がオフされた時点で終了する。この処理は所定のタイミング毎に実行される。
【００５２】
映像音声出力装置１００の電源がオンされると、制御部１０は例えばメモリ４０に格納されたラストチャンネル及びチャンネルマップに基づいて、デジタルＴＶ用チューナ１２及びアナログＴＶ用チューナ３２を制御する。次いで、ＯＦＤＭ復調部１３がデジタルＴＶ用チューナ１２からのＩＦ信号を処理して所定のタイミングで制御部１０にＢＥＲを受け渡す。
【００５３】
制御部１０は、ＯＦＤＭ復調部１３から受け渡されたＢＥＲが第一の閾値より高いか否かを判定する（ステップ１、以下、明細書及び図面においてステップを「Ｓ」と略記）。ここでいう第一の閾値とは、例えば受信限界（地上波デジタルＴＶ放送の受信強度が低下して当該放送の音声・映像を正常に出力できない状態）におけるＢＥＲに相当するものである。
【００５４】
Ｓ１の処理においてＢＥＲが第一の閾値以下と判定されるとき（Ｓ１：ＮＯ）、制御部１０は、地上波デジタルＴＶ放送の受信状態が良好であると判断してＳ２の処理に進む。なおＯＦＤＭ復調部１３が制御部１０にＢＥＲを受け渡すタイミングは定期的であっても良く、或いは、Ｓ１の処理が実行される時であっても良い。
【００５５】
Ｓ２の処理において制御部１０は、映像切替スイッチ１５、動画／静止画切替スイッチ１６、及び、音声切替スイッチ２３をスイッチング制御する。具体的には、映像切替スイッチ１５、動画／静止画切替スイッチ１６がそれぞれ、ＭＰＥＧデコーダ１４、映像切替スイッチ１５からの入力信号を受け取って出力するようスイッチング制御する。また音声切替スイッチ２３が音声Ｄ／Ａコンバータ２１からの入力信号を受け取って出力するようスイッチング制御する。
【００５６】
制御部１０はＳ２の処理に次いで、デジタル受信信号に対する処理を実行する。具体的には、制御部１０は、デジタルＴＶ用チューナ１２、ＯＦＤＭ復調部１３、ＭＰＥＧデコーダ１４等を制御して上述した一連の信号処理を実行する。次いで、一連の信号処理された映像信号が映像切替スイッチ１５、動画／静止画切替スイッチ１６を介してディスプレイ５０に入力する。これにより、地上波デジタルＴＶ放送の番組の映像がディスプレイ５０で再生される。また一連の信号処理された音声信号が音声Ｄ／Ａコンバータ２１でＤ／Ａ変換された後、音声切替スイッチ２３を介してオーディオアンプ２４に入力する。次いで、オーディオアンプ２４における増幅処理を経て、地上波デジタルＴＶ放送の番組の音声がスピーカ６０Ｒ及び６０Ｌで再生される。制御部１０は所定のタイミング後、Ｓ１の処理に復帰する。ここで再生される番組は地上波デジタルＴＶ放送のものであるため、その映像はノイズがなく鮮明であり、また、音声はクリアである。
【００５７】
またＳ１の処理においてＢＥＲが第一の閾値よりも高いと判定されるとき（Ｓ１：ＹＥＳ）、制御部１０は、地上波デジタルＴＶ放送の受信状態が悪く、地上波デジタルＴＶ放送の番組をディスプレイ５０で表示できないと判断してＳ３の処理に進む。すなわちディスプレイ５０及び各スピーカで再生する番組を地上波デジタルＴＶ放送から地上波アナログＴＶ放送に切り替えるよう動作する。
【００５８】
Ｓ３の処理において制御部１０は、地上波アナログＴＶ放送の受信状態を検出して、その受信強度が第二の閾値より高いか否かを判定する。この判定処理は、具体的には受信強度検出部３４を用いて実行される。
【００５９】
受信強度検出部３４は、地上波アナログＴＶ放送の受信状態を検出するための検出回路である。受信強度検出部３４には、アナログＴＶ用チューナ３２からのＩＦ信号が定期的に入力される。受信強度検出部３４は、入力されたＩＦ信号の強度を検出してその検出結果を制御部１０に受け渡す。この検出結果は例えば規格化された値等で表されたものである。なお受信強度検出部３４が制御部１０に検出結果を受け渡すタイミングは定期的であっても良く、或いは、Ｓ３の処理が実行される時であっても良い。
【００６０】
すなわちＳ３の処理において制御部１０は、受信強度検出部３４から受け渡された検出結果の値が第二の閾値より高いか否かを判定する。この検出結果の値が第二の閾値より高いと判定されるとき（Ｓ３：ＹＥＳ）、制御部１０は、地上波アナログＴＶ放送の受信状態が良好であると判断してＳ４の処理に進む。
【００６１】
Ｓ４の処理において制御部１０は、映像切替スイッチ１５、動画／静止画切替スイッチ１６、及び、音声切替スイッチ２３をスイッチング制御する。具体的には、映像切替スイッチ１５、動画／静止画切替スイッチ１６がそれぞれ、アナログ受信信号復調部３３、映像切替スイッチ１５からの入力信号を受け取って出力するようスイッチング制御する。また音声切替スイッチ２３がアナログ受信信号復調部３３からの入力信号を受け取って出力するようスイッチング制御する。
【００６２】
制御部１０はＳ４の処理に次いで、アナログ受信信号に対する処理を実行する。具体的には、制御部１０は、アナログＴＶ用チューナ３２、アナログ受信信号復調部３３等を制御して上述した一連の信号処理を実行する。次いで、一連の信号処理された映像信号が映像切替スイッチ１５、動画／静止画切替スイッチ１６を介してディスプレイ５０に入力する。これにより、地上波アナログＶ放送の番組の映像がディスプレイ５０で再生される。また一連の信号処理された音声信号が音声切替スイッチ２３を介してオーディオアンプ２４で増幅されて、スピーカ６０Ｒ及び６０Ｌに入力する。これにより、地上波アナログＴＶ放送の番組の音声がスピーカ６０Ｒ及び６０Ｌで再生される。制御部１０は所定のタイミング後、Ｓ１の処理に復帰する。ここで再生される番組は地上波アナログＴＶ放送のものであるが、その受信状態は良好であるため、その映像は比較的鮮明であり、また、音声も比較的クリアである。
【００６３】
またＳ３の処理において上記検出結果の値が第二の閾値以下と判定されるとき（Ｓ３：ＮＯ）、制御部１０は、地上波アナログＴＶ放送の受信状態が悪いと判断してＳ５の処理に進む。
【００６４】
上記検出結果の値が第二の閾値以下の場合に地上波アナログＴＶ放送の番組を再生させると、極端に乱れた映像がディスプレイ５０に表示されることになる。このような映像がディスプレイ５０に表示されると視聴者は不快感を覚え得る。このような事態を回避するため、Ｓ５の処理において制御部１０は所定のスイッチング制御を行う。具体的には、動画／静止画切替スイッチ１６をスイッチング制御して画像メモリ１７とディスプレイ５０を接続させる。
【００６５】
ここで、画像メモリ１７について説明する。画像メモリ１７は例えば少なくとも一つのフレーム画像を保持可能なフレームメモリである。制御部１０は画像メモリ１７を制御してフレーム画像を保持させる。
【００６６】
制御部１０は例えばＳ１で「ＮＯ」判定処理されたとき、画像メモリ１７を制御して、ＭＰＥＧデコーダ１４から出力されるフレーム画像を格納する。すなわち地上波デジタルＴＶ放送の静止画像を画像メモリ１７に保持させる。この静止画像は例えばＳ１で「ＮＯ」判定処理される度に上書きされる。従って画像メモリ１７には常に新しい地上波デジタルＴＶ放送の静止画像が保持されることになる。
【００６７】
つまり、Ｓ５の処理でスイッチング制御を行うことにより、ディスプレイ５０には地上波アナログＴＶ放送による極端に乱れた映像の代替として、地上波デジタルＴＶ放送による鮮明な静止画像が表示される。すなわち本実施形態の映像音声出力装置１００によれば、地上波アナログＴＶ放送の受信状態が悪化してもディスプレイ５０には鮮明な画像が表示される。従って視聴者に不快感を与えることがなくなる。なお地上波アナログＴＶ放送の音質は、その受信状態が悪くても比較的劣化しない。従ってＳ５の処理において制御部１０は、アナログ受信信号復調部３３とオーディオアンプ２４を接続するよう音声切替スイッチ２３のスイッチング制御を行う。これにより、ディスプレイ５０には地上波デジタルＴＶ放送による鮮明な静止画像が表示され、スピーカ６０Ｒ及び６０Ｌでは地上波アナログＴＶ放送による音声が再生される。
【００６８】
附言するに本実施形態によれば、例えば地上波デジタルＴＶ放送及び地上波アナログＴＶ放送の受信状態が共に悪化したときに、地上波デジタルＴＶ放送による鮮明な静止画像が地上波アナログＴＶ放送による極端に乱れた映像に突如切り替わるような事態は起こり得ない。
【００６９】
ここで、画像メモリ１７に地上波デジタルＴＶ放送の静止画像が保持されていない状況があると考えられる。例えば映像音声出力装置１００が電源オンされてから地上波デジタルＴＶ放送を良好に受信できる地域に一度も位置しない場合、画像メモリ１７には上記静止画像が格納されていない。このような場合、制御部１０はＳ５のスイッチング処理に次いで、画像メモリ１７を制御して、当該画像メモリ１７に保持された規定画像をディスプレイ５０に出力させる。この規定画像とは、画像メモリ１７に初期的に格納された画像である。このような規定画像には例えば文字情報や番組情報等の画像が想定される。
【００７０】
また地上波デジタルＴＶ放送の受信状態が悪く地上波アナログＴＶ放送の受信状態が良好な場合、制御部１０は地上波アナログＴＶ放送の静止画像を画像メモリ１７に格納するよう動作することもできる。
【００７１】
制御部１０は例えばＳ３で「ＹＥＳ」判定処理されたとき、画像メモリ１７を制御して、アナログ受信信号復調部３３から出力されるフレーム画像を格納する。すなわち地上波アナログＴＶ放送の静止画像を画像メモリ１７に保持させる。この静止画像は例えばＳ３で「ＹＥＳ」判定処理される度に上書きされる。従って画像メモリ１７には常に新しい地上波アナログＴＶ放送の静止画像が保持されることになる。
【００７２】
この場合、例えば地上波デジタルＴＶ放送の受信状態が改善することなく地上波アナログＴＶ放送の受信状態が悪化しても、ディスプレイ５０には地上波アナログＴＶ放送による比較的鮮明な静止画像が表示され、スピーカ６０Ｒ及び６０Ｌでは地上波アナログＴＶ放送による音声が再生される。このような場合も視聴者に不快感を与えることがない。
【００７３】
以上が本発明の実施形態である。本発明はこれらの実施形態に限定されるものではなく様々な範囲で変形が可能である。
【００７４】
なお、本実施形態のＴＶ放送受信機を具備した映像音声出力装置は車載されたものであるが、別の実施の形態では人が携帯するような機器であっても良い。
【００７５】
また本実施形態ではＢＥＲに基づいて地上波デジタルＴＶ放送の受信状態を判定しているが、別の実施の形態ではデジタル受信信号の受信強度に基づいて地上波デジタルＴＶ放送の受信状態を判定しても良い。
【図面の簡単な説明】
【００７６】
【図１】本発明の実施の形態のＴＶ放送受信機を具備した映像音声出力装置の構成を示したブロック図である。
【図２】本発明の実施の形態の映像音声出力装置におけるＴＶ放送番組再生処理を示したフローチャートである。
【符号の説明】
【００７７】
１０  制御部
１１  デジタルＴＶ用アンテナ
１２  デジタルＴＶ用チューナ
１３  ＯＦＤＭ復調部
１４  ＭＰＥＧデコーダ
１５  映像切替スイッチ
１６  動画／静止画切替スイッチ
１７  画像メモリ
２１  音声Ｄ／Ａコンバータ
２３  音声切替スイッチ
２４  オーディオアンプ
３１  アナログＴＶ用アンテナ
３２  アナログＴＶ用チューナ
３３  アナログ受信信号復調部
３４  受信強度検出部
４０  メモリ
５０  ディスプレイ
６０Ｒ、６０Ｌ  スピーカ
７０  受光部
８０  リモコン
１００  映像音声出力装置
【図１】
2008011017.tif 000003
【図２】
2008011017.tif 000004